(57)【要約】      （修正有）【課題】粉塵が作業者の周囲に飛散したり作業者に付着したりすることなく濾材を清掃することができる上に、濾材に濾過助剤をプリコートすることもできる装置を提供する。【解決手段】上端を開口した箱状体１の上面に着脱可能に取り付けられて開口部を気密に閉鎖する蓋部材２と、箱状体の内部を上下に仕切りかつ濾材４を貫通させて掛止可能な濾材掛止部材５と、蓋部材に形成された第１開口６と、箱状体の第１側壁における濾材掛止部材の下方位置に形成された第２開口7と、箱状体の第２側壁に形成された開閉扉８付き第３開口９と、を備えて、濾材掛止部材に掛止された濾材を清掃する時には、第２開口を集塵機の吸気口に連通接続しかつ第１開口を大気中に開放し、また、濾材掛止部材に掛止された濾材に濾過助剤をプリコートする時には、第１開口を集塵機の吸気口に連通接続しかつ第２開口から濾過助剤を供給可能としたことを特徴とする。【選択図】 図１
2007275693.tif 000002
【特許請求の範囲】
【請求項１】
集塵機から取り外した濾材を清掃したり、濾材に濾過助剤をプリコートしたりするのに使用する装置であって、
上端を開口した箱状体と、
この箱状体の上面に着脱可能に取り付けられて箱状体の上端開口部を気密に閉鎖する蓋部材と、
前記箱状体の内部に気密に固着されてこの内部を上下に仕切りかつ前記濾材を貫通させて掛止可能な濾材掛止部材と、
前記蓋部材に形成された第１開口と、
前記箱状体の第１側壁における前記濾材掛止部材の下方位置に形成された第２開口と、
前記箱状体の第２側壁に形成された開閉扉付き第３開口と、
を備えて、
前記濾材掛止部材に掛止された濾材を清掃する時には、前記第２開口を集塵機の吸気口に連通接続しかつ前記第１開口を大気中に開放し、また、前記濾材掛止部材に掛止された濾材に濾過助剤をプリコートする時には、前記第１開口を集塵機の吸気口に連通接続しかつ前記第２開口から濾過助剤を供給可能としたことを特徴とする濾材の清掃または濾過助剤プリコート装置。
【請求項２】
前記濾材は、セルプレート付きフィルターセットであることを特徴とする請求項1に記載の濾材の清掃または濾過助剤プリコート装置。
【発明の詳細な説明】
【技術分野】
【０００１】
本発明は、集塵機から取り外した濾材を清掃したり、この濾材に濾過助剤をプリコートしたりするのに使用する濾材の清掃または濾過助剤プリコート装置に関する。
【背景技術】
【０００２】
一般に集塵機には含塵ガスから粉塵を除去すべく濾材が取り付けられており、この濾材には粉塵が付着する。そのため、濾材を長期間にわたって使用できるように、集塵機にはいわゆる逆洗システムなどの粉塵除去装置が付設されている。そして、この粉塵除去装置により濾材から付着粉塵を十分に除去できない場合、従来は、濾材を集塵機から取り外して作業者が直接清掃するようにしている。
なお、この従来の技術について記載した文献は発見できませんでした。
【発明の開示】
【発明が解決しようとする課題】
【０００３】
ところで、集塵機から取り外した濾材を直接清掃する場合、粉塵が作業者の周囲に飛散したり、作業者に付着したりして、作業環境や作業性が悪いなどの問題があった。
【０００４】
また、濾材の目詰まりを防止するとともに有害ガスの吸着をするため、清掃した濾材の表面に濾過助剤をプリコートしているが、従来は、このプリコートの作業を行うのに適した装置もなかった。
【０００５】
本発明は、上記の事情に鑑みてなされたもので、その目的は、粉塵が作業者の周囲に飛散したり作業者に付着したりすることなく濾材を清掃することができる上に、濾材に濾過助剤をプリコートすることもできる装置を提供することにある。
【課題を解決するための手段】
【０００６】
上記の目的を達成するために本発明における濾材の清掃または濾過助剤プリコート装置は、集塵機から取り外した濾材を清掃したり、この濾材に濾過助剤をプリコートしたりするのに使用する装置であって、上端を開口した箱状体と、この箱状体の上面に着脱可能に取り付けられて箱状体の上端開口部を気密に閉鎖する蓋部材と、前記箱状体の内部に気密に固着されてこの内部を上下に仕切りかつ前記濾材を貫通させて掛止可能な濾材掛止部材と、前記蓋部材に形成された第１開口と、前記箱状体の第１側壁における前記濾材掛止部材の下方位置に形成された第２開口と、前記箱状体の第２側壁に形成された開閉扉付き第３開口と、を備えて、前記濾材掛止部材に掛止された濾材を清掃する時には、前記第２開口を集塵機の吸気口に連通接続しかつ前記第１開口を大気中に開放し、また、前記濾材掛止部材に掛止された濾材に濾過助剤をプリコートする時には、前記第１開口を集塵機の吸気口に連通接続しかつ前記第２開口から濾過助剤を供給可能としたことを特徴とする。
【０００７】
このように構成されたものは、集塵機から取り外した濾材を第３開口から入れて、濾材掛止部材に掛止したのち、第２開口を集塵機の吸気口に連通接続しかつ第１開口を大気中に開放した状態で、集塵機の稼動により箱状体内から吸引するとともに濾材に付着した粉塵を剥離し、濾材を清掃する。次いで、第１開口を集塵機の吸気口に連通接続しかつ集塵機によって濾材に吸引作用を付与しながら第２開口から濾過助剤を供給して、濾過助剤を濾材に吸着させプリコートする。
【発明の効果】
【０００８】
以上の説明から明らかなように本発明は、集塵機から取り外した濾材を清掃したり、この濾材に濾過助剤をプリコートしたりするのに使用する装置であって、上端を開口した箱状体と、この箱状体の上面に着脱可能に取り付けられて箱状体の上端開口部を気密に閉鎖する蓋部材と、前記箱状体の内部に気密に固着されてこの内部を上下に仕切りかつ前記濾材を貫通させて掛止可能な濾材掛止部材と、前記蓋部材に形成された第１開口と、前記箱状体の第１側壁における前記濾材掛止部材の下方位置に形成された第２開口と、前記箱状体の第２側壁に形成された開閉扉付き第３開口と、を備えて、前記濾材掛止部材に掛止された濾材を清掃する時には、前記第２開口を集塵機の吸気口に連通接続しかつ前記第１開口を大気中に開放し、また、前記濾材掛止部材に掛止された濾材に濾過助剤をプリコートする時には、前記第１開口を集塵機の吸気口に連通接続しかつ前記第２開口から濾過助剤を供給可能としたから、粉塵が作業者の周囲に飛散したり作業者に付着したりすることなく濾材を清掃することができる上に、濾材に濾過助剤をプリコートすることもできるなどの優れた実用的効果を奏する。
【発明を実施するための最良の形態】
【０００９】
以下、本発明を適用した濾材の清掃または濾過助剤プリコート装置について、図１〜図４に基づき詳細に説明する。図１および図２に示すように、本濾材の清掃または濾過助剤プリコート装置は、上端を開口した箱状体１と、この箱状体１の上面に着脱可能に取り付けられて箱状体１の上端開口部を気密に閉鎖する蓋部材２と、前記箱状体１部の上部に気密に固着されてこの内部を上下に仕切りかつ濾材としてのセルプレート３付きフィルターセット４・４を貫通させて掛止可能な濾材掛止部材５と、前記蓋部材２に形成された第１開口としての第１短尺ダクト６と、前記箱状体１の第１側壁としての右側壁における前記濾材掛止部材５の下方位置に形成された第２開口としての第２短尺ダクト７と、前記箱状体１の第２側壁としての前面壁に形成された開閉扉８付き第３開口９と、で構成してある。
【００１０】
なお、前記箱状体１の底位置には、フィルターセット４・４から剥離して落下した粉塵を回収する回収手段１０が、前記開閉扉８の内側に位置して入出可能に配設してあり、前記箱状体１内における前記回収手段１０の上方にはシュート１１が固着してある。
【００１１】
このように構成されたものは、図３に示すように、集塵機から取り外したセルプレート３付きフィルターセット４・４を、開閉扉８を開いて第３開口９から入れ、セルプレート３付きフィルターセット４・４のセルプレート３をシール材を介在させて濾材掛止部材５に掛止したのち開閉扉８を閉じる。次いで、第２短尺ダクト７をダクト２１を介して集塵機２２の吸気口２３に連通接続しかつ第１短尺ダクト６を大気中に開放した状態で、集塵機２２を稼動して箱状体１内から吸引し、フィルターセット４・４に付着した粉塵を剥離し、フィルターセット４・４を清掃する。剥離された粉塵は回収手段１０内に落下する。次いで、図４に示すように、第１短尺ダクト６をダクト２１を介して集塵機２２の吸気口２３に連通接続し、続いて、集塵機２２を稼動してフィルターセット４・４に吸引作用を付与しながら第２短尺ダクト７から濾過助剤を供給する。供給された濾過助剤はフィルターセット４・４に吸着され、フィルターセット４・４はプリコートされる。
【００１２】
なお、フィルターセット４・４を清掃する際に、第１短尺ダクト６から圧縮空気をノズル等の慣用手段によって吹き込むことにより、フィルターセット４・４の清掃をさらに短い時間で行うことができる。
またなお、セルプレート３付きフィルターセット４・４の構造にすることにより、複数のフィルターセット４・４を一度に取付け・取外しをすることができる。
【図面の簡単な説明】
【００１３】
【図１】本発明を適用した濾材の清掃または濾過助剤プリコート装置の一部断面正面図である。
【図２】図１の一部断面左側面図である。
【図３】本発明の使用状態を説明する模式図であって、濾材としてのフィルターセットを清掃する際の説明図である。
【図４】本発明の使用状態を説明する模式図であって、濾過助剤をフィルターセットにプリコートする際の説明図である。
【符号の説明】
【００１４】
１    箱状体
２    蓋部材
４    フィルターセット
５    濾材掛止部材
６    第１短尺ダクト
７    第２短尺ダクト
【図１】
2007275693.tif 000003
【図２】
2007275693.tif 000004
【図３】
2007275693.tif 000005
【図４】
2007275693.tif 000006